(57)【特許請求の範囲】
【請求項１】
タイムスロット構造に対してタイムアラインされた送信信号が無線ネットワークノードに到達するように少なくとも１つのユーザ装置からのアップリンク送信を当該無線ネットワークノードで制御する方法であって、前記タイムスロット構造は複数のタイムスロットのシーケンスであり、各タイムスロットがタイムスロット時間を有しており、
前記方法は
Ａ）前記少なくとも１つのユーザ装置からタイミングアップリンク送信を受信するステップと、
Ｂ）前記タイミングアップリンク送信に基づいて、前記無線アクセスノードと前記少なくとも１つのユーザ装置との間の時間的な距離を示すタイミングオフセットを決定するステップと
を有し、
さらに、前記方法は、
Ｃ）前記少なくとも１つのユーザ装置に対して送信されるタイミングアドバンス値を決定するための閾値と、前記タイミングオフセットと比較するステップと、
Ｄ１）前記タイミングオフセットが前記閾値よりも小さいときに、前記タイミングオフセットを前記タイミングアドバンス値に設定することによって、前記少なくとも１つのユーザ装置からのタイムアラインされたアップリンク送信が、第１のアップリンクタイムスロットにタイムアラインされた前記無線ネットワークノードに到達するようにするステップと、
Ｄ２）前記タイミングオフセットが前記閾値と等しいかそれを超えているときに、前記タイミングオフセットから１つまたはそれ以上のタイムスロット時間を減算して前記タイミングアドバンス値に設定することによって、前記少なくとも１つのユーザ装置からのタイムアラインされたアップリンク送信が、前記第１のアップリンクタイムスロットよりも後の第２のアップリンクタイムスロットにタイムアラインされた前記無線ネットワークノードに到達するようにするステップと
を有し、
さらに、前記方法は、
Ｅ）前記少なくとも１つのユーザ装置に前記タイミングアドバンス値を送信するステップ
を有することを特徴とする方法。
【請求項２】
前記Ａのステップにおいて、前記受信されたタイミングアップリンク送信は、前記タイムスロット構造に対してタイムアラインされていないランダムアクセスプリアンブルか、または、前記タイムスロット構造に対してタイムアラインされたＰＵＳＣＨ送信であることを特徴とする請求項１に記載の方法。
【請求項３】
前記Ｅのステップにおいて、前記タイミングアドバンス値は、ランダムアクセスレスポンスに含めて送信されることを特徴とする請求項１または２に記載の方法。
【請求項４】
前記少なくとも１つのユーザ装置には第１のユーザ装置と第２のユーザ装置とが含まれ、前記第１のユーザ装置についての前記タイミングアドバンス値は前記Ｄ１のステップによって設定されており、前記第２のユーザ装置についての第２のタイミングアドバンス値は前記Ｄ２のステップによって設定されており、複数の連続したサブフレームは前記タイムスロット構造に対して関連付けられており、各サブフレームには、前記タイムスロット構造の後続の２つのタイムスロットが含まれており、
前記方法は、
前記複数の連続したサブフレームにおける第１のダウンリンクサブフレームと、当該第１のダウンリンクサブフレームよりも後の第２のダウンリンクサブフレームにより、前記第２のユーザ装置への第１のアップリンググラントメッセージと、前記第１のユーザ装置への第２のアップリンググラントメッセージとを送信するステップと、
第１のアップリンクサブフレームにより前記１のユーザ装置からの前記タイムアラインされたアップリンク送信を受信するとともに、前記第２のユーザ装置からの前記タイムアラインされたアップリンク送信を受信するステップと
をさらに有することを特徴とする請求項１ないし３のいずれか１項に記載の方法。
【請求項５】
前記第１のアップリンクサブフレームにおいて、１）前記第１のユーザ装置を周波数キャリアの第１の部分にスケジュールし、２）前記第２のユーザ装置を前記周波数キャリアの第２の部分にスケジューリングするステップをさらに有し、前記周波数キャリアの前記第１の部分と前記周波数キャリアの前記第２の部分とが重なっていないことを特徴とする請求項４に記載の方法。
【請求項６】
前記複数の連続したサブフレームにおいて、前記第１のユーザ装置を前記周波数キャリアの前記第１の部分にスケジュールし、前記第２のユーザ装置を前記周波数キャリアの前記第２の部分にスケジューリングすることを特徴とする請求項５に記載の方法。
【請求項７】
前記周波数キャリアの前記第１の部分と前記周波数キャリアの前記第２の部分は、前記周波数キャリアにおける第１のセットの連続したサブキャリアと第２のセットの連続したサブキャリアとにそれぞれ関連付けられており、前記第１のセットの連続したサブキャリアと前記第２のセットの連続したサブキャリアは、動的に決定されるか、予め決定されていることを特徴とする請求項６に記載の方法。
【請求項８】
前記タイムアラインされたアップリンク送信は、ＰＵＣＣＨにより実行され、
前記スケジューリングのステップは、さらに、
前記周波数キャリアの前記第１の部分において、前記Ｄ１のステップにしたがったタイミングアドバンス値を割り当てられたユーザ装置だけをスケジューリングするステップと、
前記周波数キャリアの前記第２の部分において、前記Ｄ２のステップにしたがったタイミングアドバンス値を割り当てられたユーザ装置だけをスケジューリングするステップと
を有することを特徴とする請求項７に記載の方法。
【請求項９】
前記第１のユーザ装置と前記第２のユーザ装置とのうち少なくとも一方からの前記タイムアラインされアップリンク送信には、ハイブリッド自動再送要求（ＨＡＲＱ）フィードバックについての情報、または、スケジューリングリクエスト（ＳＲ）、チャネル品質インジケータ（ＣＱＩ）、プリコーディングマトリックスインジケータ（ＰＭＩ）およびランクインジケータ（ＲＩ）のうちの１つ以上についての情報が含まれていることを特徴とする請求項４ないし８のいずれか１項に記載の方法。
【請求項１０】
前記第１のユーザ装置と前記第２のユーザ装置とのうち少なくとも一方からの前記タイムアラインされアップリンク送信に対して高速フーリエ変換（ＦＦＴ）が適用されることを特徴とする請求項４ないし９のいずれか１項に記載の方法。
【請求項１１】
前記Ｄ２のステップにしたがって前記少なくとも１つのユーザ装置についての前記タイミングアドバンス値が決定されると、当該少なくとも１つのユーザ装置の位置を判別するステップ
をさらに有し、
当該位置を判別するステップは、
前記少なくとも１つのユーザ装置からＲｘ−Ｔｘ間の時間差の情報を受信するステップと、
少なくとも、１つまたはそれ以上のタイムスロット時間によって前記受信したＲｘ−Ｔｘ間の時間差を調整することによって、調整されたＲｘ−Ｔｘ間の時間差を決定するステップと、
前記調整されたＲｘ−Ｔｘ間の時間差に基づいて、前記少なくとも１つのユーザ装置の前記位置を示す距離タイミングを求めるステップと
を有することを特徴とする請求項１ないし１０のいずれか１項に記載の方法。
【請求項１２】
無線ネットワークノードに備えられ、タイムスロット構造に対してタイムアラインされた送信信号が当該無線ネットワークノードに到達するように少なくとも１つのユーザ装置からのアップリンク送信を制御する装置であって、前記タイムスロット構造は複数のタイムスロットのシーケンスであり、各タイムスロットがタイムスロット時間を有しており、
前記装置は
前記少なくとも１つのユーザ装置からタイミングアップリンク送信を受信する受信部と、
前記タイミングアップリンク送信に基づいて、前記無線アクセスノードと前記少なくとも１つのユーザ装置との間の時間的な距離を示すタイミングオフセットを決定する決定部と
を有し、
さらに、前記装置は、
前記少なくとも１つのユーザ装置に対して送信されるタイミングアドバンス値を決定するための閾値と前記タイミングオフセットとを比較する比較部
を有し、
当該比較部は、
前記タイミングオフセットが前記閾値よりも小さいときに、前記タイミングオフセットを前記タイミングアドバンス値に設定することによって、前記少なくとも１つのユーザ装置からのタイムアラインされたアップリンク送信が、第１のアップリンクタイムスロットにタイムアラインされた前記無線ネットワークノードに到達するようにし、かつ、
前記タイミングオフセットが前記閾値と等しいかそれを超えているときに、前記タイミングオフセットから１つまたはそれ以上のタイムスロット時間を減算して前記タイミングアドバンス値に設定することによって、前記少なくとも１つのユーザ装置からのタイムアラインされたアップリンク送信が、前記第１のアップリンクタイムスロットよりも後の第２のアップリンクタイムスロットにタイムアラインされた前記無線ネットワークノードに到達する
ように構成されており、
さらに、前記装置は、
前記少なくとも１つのユーザ装置に前記タイミングアドバンス値を送信する送信部
を有することを特徴とする装置。
【発明の詳細な説明】
【技術分野】
【０００１】
本発明は、セル範囲を拡張するための解決策に関し、詳細には、タイミングアライメント（タイミング整合）を処理するための解決策に関する。さらに本発明は、少なくとも１つのユーザ装置からのアップリンク送信をタイムスロット構造とタイムアラインされた（時間的に整合された）かたちで到着するように制御するための、無線ネットワークノードにおける方法および装置に関する。
【背景技術】
【０００２】
ＬＴＥ（ロングタームヴォリューション）は、ダウンリンクではＯＦＤＭ（直交周波数分割多重）を用い、アップリンクではＤＦＴ−拡散ＯＦＤＭ（離散型フーリエ変換−拡散直交周波数分割多重）を用いる。それゆえ、基本的なＬＴＥダウンリンク物理リソースは、図１に示すような時間−周波数グリッドとみなすことができる。ここで各リソース要素は、１つのＯＦＤＭシンボル間隔の間の１つのＯＦＤＭサブキャリアに対応する。
【０００３】
時間領域では、ＬＴＥダウンリンク送信は、１０ｍｓの無線フレームで構成されており、各無線フレームは、図２に示すように、Ｔサブフレームの長さ＝１ｍｓである１０個の等サイズのサブフレームから成る。
【０００４】
さらに、ＬＴＥにおけるリソース割当ては、典型的にはリソースブロックという形で記述される。ここで１つのリソースブロックは、時間領域では１スロット（０．５ｍｓ）、周波数領域では１２個の連続するサブキャリアに対応する。リソースブロックには、周波数領域ではシステム帯域幅の一方の端から０で始まる番号が付けられている。
【０００５】
ダウンリンク送信は動的にスケジューリングされている。すなわち、各サブフレーム（または、送信時間間隔、ＴＴＩ）の中で、基地局は、どの端末に対してデータが送信されるのか、および、どのリソースブロックでデータが送信されるのかについての制御情報を現行のダウンリンクサブフレームの中で送信する。この制御シグナリングは、典型的には、各サブフレームの中の最初の１、２、３、または４個のＯＦＤＭシンボルの中で送信される。制御部として３個のＯＦＤＭシンボルを持つダウンリンクシステムを図３に示す。
【０００６】
アップリンクでデータを送信するため、移動端末には、ＰＵＳＣＨ（物理アップリンク共用チャネル）上にデータ送信用のアップリンクリソースが割り当てられている。ダウンリンクにおけるデータ割当てとは対照的に、アップリンクでは、図４に示すようにアップリンクの単一キャリア特性を保持するため、割当ての周波数は常に連続していなければならない。
【０００７】
各スロットの中央のＳＣ−ＦＤＭＡ（シングルキャリア−周波数分割多重）シンボルを用いて基準信号が送信される。移動端末が、データ送信用のアップリンクリソースを割り当てられており、かつ、同時刻に、送信すべき制御情報を有している場合、移動端末は、制御情報をデータと一緒にＰＵＳＣＨ上で送信するであろう。
【０００８】
複数のＵＥが同じサブフレームの中で送信し、前記複数のＵＥからの送信がｅＮＢ（例えば無線アクセスネットワークデバイスまたは無線ネットワークノード）によって同時に受信されることがありうる。望ましいのは、ｅＮＢ受信機においてＵＥを時間的に整合させておくことである。これによってユーザ間の直交性が保たれ、従って、ｅＮＢにおける帯域幅全体に渡ってＦＦＴ（高速フーリエ変換）を行うことが可能となり、それによって周波数領域でユーザが区別される。また、それによって、すべてのユーザについて単一のＦＦＴを用いるため、ｅＮＢにおける複雑性が減少するであろう。
【０００９】
ＰＵＣＣＨ（物理アップリンク制御チャネル）を用いて、アップリンクで制御情報が送信される。図５にＰＵＣＣＨの構造を示す。ユーザからの送信は、サブフレームの中の２つのスロットの各々において１つの物理リソースブロックを占める。ダイバーシチ利得を得るため、スロット間で周波数ホッピングが用いられる。
【先行技術文献】
【特許文献】
【００１０】
【特許文献１】国際公開第０１／１１９０７号
【発明の概要】
【発明が解決しようとする課題】
【００１１】
ＰＵＣＣＨ用に用いられる各物理リソースブロックにおいて、複数のユーザが同時に送信することがありうる。セル内の信号を直交に維持するため、符号多重化が用いられる。
【００１２】
ユーザがデータと制御情報とを両方とも送信することが必要な場合、ＰＵＣＣＨは用いられず、代わりに、制御情報はＰＵＳＣＨ上のデータ送信に多重化される。そうしないと、アップリンク信号の単一キャリア特性が維持されないであろう。
【００１３】
上記のように、ＵＬ（アップリンク）で直交性を保つために、複数のＵＥからのＵＬ送信はｅＮＢにおいて時間的に整合される必要がある。各ＵＥはｅＮＢから異なる距離に位置している（図６を参照のこと）可能性があるため、各ＵＥは、タイミングアドバンス値によって与えられる異なる時刻に自分たちのＵＬ送信を開始する必要があるであろう。ｅＮＢから遠いＵＥ（ユーザ装置）は、ｅＮＢに近いＵＥより早く送信を始める必要がある。これは、例えば、ＵＬ送信のタイミングアドバンスによって処理することができ、ＵＥは、ＵＥが受信したＤＬ（ダウンリンク）信号のタイミングによって与えられる名目上の時刻より前に自分のＵＬ送信を開始する。この概念を図７に示す。
【００１４】
ＵＬタイミング整合は、そのＵＥからのＵＬ送信に関する測定値に基づいてタイミングアドバンス値を指定する、ＵＥに対するタイミング整合コマンドを通して、ｅＮＢによって維持される。
【００１５】
タイミング整合コマンドを通して、ＵＥは、ｅＮＢへの距離が遠ければ遠いほど、ＵＬ送信をより早く始めるように命令される。これは、ＰＲＡＣＨ（Ｐｈｙｓｉｃａｌ  Ｒａｎｄｏｍ  Ａｃｃｅｓｓ  Ｃｈａｎｎｅｌ）上でのランダムアクセスプリアンブル送信を除いて、すなわち、ＰＵＳＣＨおよびＰＵＣＣＨ上の送信をいずれも含めて、すべてのＵＬ送信に適用される。
【００１６】
ＤＬ送信とそれに対応するＵＬ送信との間には厳密な関係がある。例えば以下のようである。
【００１７】
−ＰＤＳＣＨ（物理ダウンリンク共用チャネル）上でのＤＬ−ＳＣＨ（ダウンリンク共用チャネル）送信と、ＵＬ（ＰＵＣＣＨまたはＰＵＳＣＨのいずれか）で送信されるＨＡＲＱ（Ｈｙｂｒｉｄ  ＡＲＱ）ＡＣＫ／ＮＡＣＫフィードバックとの間のタイミング、
−ＰＤＣＣＨ（物理ダウンリンク制御チャネル）上でのＵＬ許可送信と、ＰＵＳＣＨ上でのＵＬ−ＳＣＨ（アップリンク共用チャネル）送信との間のタイミング。
【００１８】
ＵＥについてのタイミングアドバンス（ＴＡ）値を増加させることによって、ＤＬ送信と対応するＵＬ送信との間のＵＥ処理時間は減少する。このため、ＵＥに利用可能な処理時間に下限を設定するため、最大タイミングアドバンスについての上限が３ＧＰＰによって定義された。ＬＴＥについては、この値は、１００ｋｍのセル範囲に対応する６６７μｓとおおまかに設定された（留意すべきだが、ＴＡ値と呼ばれるタイミングアドバンス値は、ラウンドトリップ（往復）遅延を補償する）。
【００１９】
上記のように、３ＧＰＰによって許可された最大ＴＡ値は、ＬＴＥセルの範囲を１００ｋｍに制限する。従って、１００ｋｍを超す距離にあるＵＥからのＵＬ送信は、最大ＴＡ値に到達してそれを超過した場合、受信機において他のＵＥのＵＬ送信と整合されないであろう。この結果として、
−ＵＬの直交性が失われているため、ＵＥからの送信は、他のユーザに対する干渉を引き起こすであろう。
【００２０】
−ｅＮＢ受信機におけるＦＦＴ処理の必要条件を大きく増加させる、他のユーザとは別のＦＦＴ処理が必要となる。
【００２１】
国際公開第２００９／０６１２５５によれば、複数の競争し合うユーザ装置がｅＮｏｄｅＢに対する通信のリクエストを開始し、かつ、これらが同一のプリアンブルを有しているときの問題を解決する方法と通信装置とが開示されている。
米国特許第６８０４２１２号明細書によれば、基地局と移動局との間にコネクションを確立する方法及び装置が開示されている。延長されたタイミングアドバンスが実際のデータ送信に使用されており、移動局は、アクセスバーストを基地局に送信する。アクセスバーストはゼロではないタイミングアドバンスを使用して送信される。
英国特許第２４４８８８９号明細書によれば、移動無線通信装置の移動速度に応じた手法で、アップリンクのタイミングリカバリーのための条件を判別する処理を含むアップリンクタイミングリカバリーを制御する方法および移動無線通信装置が開示されている。
国際公開第０１／１１９０７号に、時分割多重ワイヤレス通信システムを操作する方法が開示されている。基地局から第１の範囲にある第１の端末グループは、自分たちの送信が第１の一連のフレームと同時に基地局に到着するように送信時刻を選ぶように命令される。第２の範囲にある第２の端末グループは、自分たちの送信が第１の一連のフレームに関して時間的にオフセットされる第２の一連のフレームと同時に基地局に到着するように送信時刻を選ぶように命令される。第１および第２の端末グループからの送信は、それぞれの第１および第２の一連のフレームと同時に基地局で受信される。それぞれの第１および第２のグループからの送信は、それぞれの別個のキャリア周波数上で受信されてもよいし、共通のキャリア周波数上で多重化されてもよい。同一のキャリア周波数が、第１および第２の一連のフレームによって用いられる場合、セル内干渉が増加する可能性がある。
【００２２】
上記の諸問題の少なくとも一部を未然に防ぐことが、本発明の目的である。詳細には、本発明の目的は、ＵＥの構成を維持する一方で無線ネットワークノードのセル範囲を拡大させることである。
【課題を解決するための手段】
【００２３】
本発明の一態様によれば、この目的は、少なくとも１つのユーザ装置からのアップリンク送信をタイムスロット構造と時間的に整合（タイムアライン）されたかたちで無線ネットワークノードに到着するように制御するための、無線ネットワークノードにおける方法によって達成される。ここでタイムスロット構造は、タイムスロットのシーケンスであり、各タイムスロットは、或るタイムスロット時間を有している。或るステップで、無線ネットワークノードが、前記少なくとも１つのユーザ装置からタイミングアップリンク送信を受信する。次に、無線ネットワークノードが、タイミングアップリンク送信に基づいてタイミングオフセットを決定する。ここでタイミングオフセットは、無線ネットワークノードと前記少なくとも１つのユーザ装置との間の時間的距離を示すものである。次のステップで、無線ネットワークノードは、前記少なくとも１つのユーザ装置に対して送信されることになるタイミングアドバンス値を決定するために、タイミングオフセットを閾値と比較する。比較を行う場合、タイミングアドバンス値を設定するために以下のステップのうちの１つが行われる。無線ネットワークノードは、タイミングオフセットが閾値より小さい場合、タイミングオフセットをタイミングアドバンス値に設定してもよく、その結果、前記少なくとも１つのユーザ装置からのタイムアラインされたアップリンク送信が、第１のアップリンクタイムスロットとタイムアラインされたかたちで無線ネットワークノードに到着する。あるいは、タイミングオフセットが閾値より大きいかまたは閾値に等しい場合、無線ネットワークノードはタイミングアドバンス値を、タイムスロット時間を１つ以上減じたタイミングオフセットに設定してもよく、その結果、前記少なくとも１つのユーザ装置からのタイムアラインされたアップリンク送信が、第１のアップリンクタイムスロットより後の第２のアップリンクタイムスロットとタイムアラインされたかたちで無線ネットワークノードに到着する。次いで、無線ネットワークノードが、前記少なくとも１つのユーザ装置にタイミングアドバンス値を送信する。
【００２４】
本発明の別の態様によれば、目的は、少なくとも１つのユーザ装置からのアップリンク送信をタイムスロット構造とタイムアラインされたかたちで無線ネットワークノード１６００に到着するように制御するための、無線ネットワークノードの中の装置によって達成される。タイムスロット構造は、タイムスロットのシーケンスであり、各タイムスロットは、或るタイムスロット時間を有している。装置は、前記少なくとも１つのユーザ装置からタイミングアップリンク送信を受信するように構成された受信ユニットと、タイミングアップリンク送信に基づいてタイミングオフセットを判定するように構成された判定ユニットとを備えていてもよい。タイミングオフセットは、無線ネットワークノードと、前記少なくとも１つのユーザ装置との間の時間距離を示す。さらに、装置は、前記少なくとも１つのユーザ装置に対して送信されることになるタイミングアドバンス値を判定するため、閾値とタイミングオフセットとを比較するように構成された比較ユニットを備えていてもよい。比較ユニットは、さらに、タイミングオフセットが閾値より小さい場合、タイミングオフセットに設定するように構成され、その結果、前記少なくとも１つのユーザ装置からのタイムアラインされたアップリンク送信が、第１のアップリンクタイムスロットとタイムアラインされたかたちで無線ネットワークノードに到着してもよいし、あるいは、タイミングオフセットが閾値より大きいかまたは閾値に等しい場合、タイミングアドバイス値として、タイムスロット時間を１以上減じたタイミングオフセットを設定するように構成され、その結果、前記少なくとも１つのユーザ装置からのタイムアラインされたアップリンク送信が、第１のアップリンクタイムスロットより後の第２のアップリンクタイムスロットとタイムアラインされたかたちで無線ネットワークノードに到着してもよい。装置はさらに、前記少なくとも１つのユーザ装置にタイミングアドバンス値を送信するように構成された送信ユニットを備えていてもよい。
【００２５】
タイミングオフセットと閾値との比較が行われるのだから、前記少なくとも１つのユーザ装置に対して送信されることになるタイミングアドバンス値を決定することは可能である。タイミングオフセットが閾値より大きいかまたは閾値に等しい場合（これは、ＵＥが無線ネットワークノードから例えば１００ｋｍ以上離れている場合にそうでありうる）、無線ネットワークノードは、タイミングアドバンス値として、タイムスロット時間を１以上減じたタイミングオフセットを設定する。このようにした結果、前記少なくとも１つのユーザ装置からのタイムアラインされたアップリンク送信が、第１のアップリンクタイムスロットより後の第２のアップリンクタイムスロットにタイムアラインされたかたちで無線ネットワークノードに到着する。結果として、上記の目的が達成される。
【００２６】
有利には、本発明は、無線ネットワークノードにおける複雑性の増加を合理的な程度にとどめつつ、１００ｋｍを超えるセル範囲を可能にする。これは、ＵＥにより厳しい処理要件を導入することなく、あるいは、ＵＬとＤＬとの間のＨＡＲＱタイミング関係を変更することなく、達成される。
【００２７】
以下で、添付の図面に示す例示的な実施形態を参照して、本発明を、限定しないやり方で、より詳細に記述しよう。
【図面の簡単な説明】
【００２８】
【図１】ＬＴＥのダウンリンク物理リソースを略示する図である。
【図２】ＬＴＥの時間領域の構造を略示する図である。
【図３】ダウンリンクのサブフレームを略示する図である。
【図４】ＰＵＳＣＨのリソース割当てを略示する図である。
【図５】ＰＵＣＣＨ構造を略示する図である。
【図６】無線ネットワークノードから異なる距離にある２つのＵＥを持つセルを略示する図である。
【図７】無線ネットワークノードへの距離に依存するＵＬ送信のタイミングアドバンスを略示する図である。
【図８】本発明によるネットワークを略示する図である。
【図９】本発明による方法の一実施形態のシグナリングとフローチャートとを組み合わせて例示的かつ概略的に示す図である。
【図１０】２つのタイミングオフセットゾーンを持つセルを略示する図であり、ここでＵＥ１はタイミングオフセットゾーンＡに属する。
【図１１】本発明による無線ネットワークノードにおける方法の一実施形態を例示的かつ概略的に示すフローチャートである。
【図１２】異なるタイミングオフセットゾーンに属するＵＥについて無線ネットワークノードの受信機におけるタイミングオフセットを略示する図である。ゾーンＢの中のＵＥ２からのＵＬ送信は、ゾーンＡの中のＵＥ１からのＵＬ送信の1スロット後に、すなわち半サブフレーム後に到着する。
【図１３】次のサブフレームの中のユーザ１へと伸びるユーザ２からの送信を略示する図である。
【図１４】ＵＬリソースの動的スケジューリングを略示する図である。
【図１５】ＵＬリソースの半静的な区分を略示する図である。
【図１６】ＰＵＣＣＨのための物理リソースブロックへのマッピングを略示する図である。
【図１７】ＴＡと組み合わせたセルＩＤ測位を略示する図である。端末の位置は、在圏セルと環状帯との交点として判定される。
【図１８】本発明による方法をフローチャートとして略示する図である。
【図１９】本発明によるデバイスを略示する図である。
【図２０】本発明によるデバイスを略示する図である。
【発明を実施するための形態】
【００２９】
下記の記述全体にわたって、適用できる場合、類似する要素、部品、項目または特徴を表すのに類似する参照番号を用いる。
【００３０】
図８は、本解決策が適用されうるネットワーク構成１７００を示す。無線ネットワークノード１６００、１７０２は、１つ以上の無線ネットワークノードおよび相互に通信するその他のデバイスを含む無線アクセスネットワーク１７０３の一部である。無線ネットワークノード１６００、１７０２はｅＮＢであってもよく、場合によってはｅノードＢと呼ばれることもある。ｅｖｏｌｖｅｄ−ＮｏｄｅＢすなわちｅＮＢは、ＵＭＴＳ  ＬＴＥシステムの無線アクセス部分である。ＬＴＥシステムはＯＦＤＭ無線技術に基づいている。また、無線アクセスネットワーク１７０３もＯＦＤＭ無線技術に基づいている。無線ネットワークノードは、ワイヤレス通信リンク１７０５を用いてＵＥ１７０１と通信によって接続している。無線アクセスネットワークは、次には、移動性、課金、パケットデータネットワークゲートウェイ、およびその他の適切な案件を処理するコアネットワーク１７０４に接続している。コアネットワークは、アプリケーションへのアクセスのため、および、他のネットワークに位置する他のＵＥとの通信を提供するため、パケットデータネットワーク（図示せず）または回線交換ネットワークへのアクセスを提供する。無線通信システム（またはネットワーク構成）１７００が、無線ネットワークノード１６００、１７０２、および前記の少なくとも１つのユーザ装置１７０１を含んでいることが好ましいであろう。
【００３１】
図９に、図８に従ってネットワーク構成１７００の中に実装された場合の、本発明による方法の一実施形態のシグナリングとフローチャートとを組み合わせた、例示的かつ概略的な図を示す。ここで図９に、少なくとも１つのユーザ装置１７０１からのアップリンク送信をタイムスロット構造とタイムアラインされた（時間的に整合された）かたちで無線ネットワークノード１６００、１７０２に到着するように制御するための、図８のネットワークで行われる例示的な方法を示しており、ここで、タイムスロット構造は、タイムスロットのシーケンスであり、各タイムスロットは、或るタイムスロット時間を有している。任意で、タイムスロットは、等しいタイムスロット時間を有していてもよい。以下のステップが行われてもよい。ステップの順序は、以下に示すものおよび対応する図に示すものとは異なっていてもよい。
【００３２】
Ａ  ステップＡで、無線ネットワークノード１６００、１７０２が、前記少なくとも１つのユーザ装置１７０１からタイミングアップリンク送信を受信する（２１０）。
【００３３】
Ｂ  ステップＢで、無線ネットワークノード１６００、１７０２が、タイミングアップリンク送信に基づいてタイミングオフセットを判定し（２２０）、ここで、タイミングオフセットは、無線ネットワークノード１６００、１７０２と前記少なくとも１つのユーザ装置１７０１との間の時間距離を示す。
【００３４】
Ｃ  ステップＣで、無線ネットワークノード１６００、１７０２は、前記少なくとも１つのユーザ装置１７０１に対して送信されることになるタイミングアドバンス値を決定するために、タイミングオフセットを閾値と比較する（２３０）。ステップＣで比較を行う時、以下のステップの１つが行われる。
【００３５】
Ｄ１  ステップＤ１で、タイミングオフセットが閾値より小さい場合、無線ネットワークノード１６００、１７０２が、タイミングアドバンス値にタイミングオフセットを設定し、その結果、前記少なくとも１つのユーザ装置１７０１からのタイムアラインされたアップリンク送信が、第１のアップリンクタイムスロットとタイムアラインされたかたちで無線ネットワークノード１６００、１７０２に到着する。
【００３６】
Ｄ２  ステップＤ２で、タイミングオフセットが閾値より大きいかまたは閾値に等しい場合、無線ネットワークノード１６００、１７０２が、タイミングアドバンス値として、タイムスロット時間を１つ以上減じたタイミングオフセットを設定し、その結果、前記少なくとも１つのユーザ装置１７０１からのタイムアラインされたアップリンク送信が、第１のアップリンクタイムスロットより後の第２のアップリンクタイムスロットと時間的に整合したかたちで無線ネットワークノード１６００、１７０２に到着する。任意で、第２のタイムスロットは、第１のタイムスロットに隣接して直後に続くかまたは、第１のタイムスロットより１タイムスロット時間以上後に続く。
【００３７】
Ｅ  ステップＥで、無線ネットワークノード１６００、１７０２は、前記少なくとも１つのユーザ装置１７０１に対してタイミングアドバンス値を送信する（２４０）。
【００３８】
ＬＴＥにおいて１００ｋｍを超えるセル範囲に到達することを目的として、無線ネットワークノードは、無線ネットワークノードのアンテナから１００ｋｍの距離に近いかまたは１００ｋｍを超えるＵＥを、その後の十分に定義された時刻に到着するように構成する。これらのＵＥからのＵＬ送信は、１スロットすなわち０．５ｍｓの倍数で到着するように構成されることになっており、これによって、たとえ一部の送信が、無線ネットワークノードに１スロット以上後に到着した場合であっても、すべてのユーザについて同じＦＦＴ処理が用いられうることが保証される。
【００３９】
本解決策は、無線ネットワークノードにおける複雑性の増加を合理的な程度にとどめつつ、ＬＴＥにおいて１００ｋｍを超えるセル範囲を可能にする。これは、ＵＥにより厳しい処理要件を導入することなく、あるいは、ＵＬとＤＬとの間のＨＡＲＱタイミング関係を変更することなく達成され、３ＧＰＰリリース８  ＵＥにも適合する。
【００４０】
特に、タイミングオフセットが閾値より小さい場合、前記少なくとも１つのＵＥ１７０１はゾーンＡにあると言われており、タイミングオフセットが閾値より大きいか閾値に等しい場合、前記少なくとも１つのＵＥ１７０１はゾーンＢにあると言われている。加えて、タイムスロットに、すなわち、タイムスロット構造と時間的に整合するように無線ネットワークノード１６００、１７０２に到着するようにアップリンク送信を送信するようにＵＥを構成するため、タイミングアドバンス値が量子化される。無線ネットワークノードは、複数の異なるタイミングオフセットゾーンを定義すると言われてもよい（２つ、３つまたはそれ以上のタイミングオフセットゾ−ンが定義されてもよい）。異なるタイミングオフセットゾーンに属するタイミングオフセットを持つＵＥからのＵＬ送信は、無線ネットワークノードの受信機に異なる時刻に到着するであろうし、他方、同じタイミングオフセットゾーンに属するＵＥは、無線ネットワークノードの受信機に同時に到着するであろう。
【００４１】
ＵＥは、ランダムアクセスを行う場合、タイミングアドバンス値がゼロに設定された状態でランダムアクセスプリアンブルを送信するであろう。これは、無線ネットワークノードが、検出されたプリアンブルの絶対的タイミングオフセットを測定できることを意味する。
【００４２】
測定されたタイミングオフセットに基づいて、無線ネットワークノードは、適切なタイミングオフセットゾーンを選択する。測定されたタイミングオフセットゾーンが、図１０のタイミングオフセットゾーンＢに対応する（すなわち、測定されたタイミングオフセットが閾値より大きい）場合、ＵＥは、いずれのそれ以上のＵＬ送信も、無線ネットワークノードの受信機にタイムゾーンＢタイミングオフセット、すなわちＴzoneＢに到着するように構成されることになっている。
【００４３】
これを実現するため、ＵＥに対して送信されるＴＡコマンドは、次式のように算出される。
【００４４】
ＴＡ値＝測定されたタイミングオフセット−ゾーンＢタイミングオフセット
それゆえ、無線ネットワークノードから遠いＵＥ、すなわち、より大きいタイミングオフセット用のタイミングオフセットゾーンに属するＵＥからのＵＬ送信は、無線ネットワークノードに近いＵＥからのＵＬ送信より後で無線ネットワークノードに到着するであろう。タイミングオフセットゾーンの概念を図１０および図１２に示す。
【００４５】
異なるゾーンの中のＵＥからのＵＬ送信の到着は、すべてのＵＥについて、それらがどのゾーンに属するかを問わず、同じＦＦＴ処理が行われうるように構成される。これが、ＦＦＴ処理容量要件と、異なるゾーンに属するユーザ間のセル内干渉とをいずれも削減する。ゾーン間の典型的なタイミングオフセットは、ＬＴＥの文脈では、０．５ｍｓおよび１ｍｓ、すなわちスロットの倍数である。
【００４６】
理解されうるであろうが、本書で用いられる場合、送信は、時間的に整合していても時間的に整合していなくても、および／または、アップリンクであってもダウンリンクであっても、少なくとも１タイムスロット時間の間、続く。好ましくは、送信は、１ＴＴＩ（送信タイミング間隔）の間、続く。
【００４７】
図１１に、少なくとも１つのユーザ装置１７０１からのアップリンク送信をタイムスロット構造とタイムアラインされたかたちで無線ネットワークノード１６００、１７０２に到着するように制御するための、無線ネットワークノード１６００、１７０２における例示的な方法を示しており、ここで、タイムスロット構造は、タイムスロットのシーケンスであり、各タイムスロットは、或るタイムスロット時間を有している。以下のステップが行われてもよい。ステップの順序は、以下に示すものおよび対応する図に示すものとは異なっていてもよい。
【００４８】
Ａ  ステップＡで、無線ネットワークノード１６００、１７０２が、前記少なくとも１つのユーザ装置１７０１からタイミングアップリンク送信を受信する（２１０）。
【００４９】
Ｂ  ステップＢで、無線ネットワークノード１６００、１７０２が、タイミングアップリンク送信に基づいてタイミングオフセットを決定し（２２０）、ここで、タイミングオフセットは、無線ネットワークノード１６００、１７０２と前記少なくとも１つのユーザ装置１７０１との間の時間距離を示す。
【００５０】
Ｃ  ステップＣで、無線ネットワークノード１６００、１７０２は、前記少なくとも１つのユーザ装置１７０１へと送信されることになるタイミングアドバンス値を決定するために、タイミングオフセットを閾値と比較する（２３０）。ステップＣで比較を行う時、以下のステップの１つが行われる。
【００５１】
Ｄ１  ステップＤ１で、タイミングオフセットが閾値より小さい場合、無線ネットワークノード１６００、１７０２が、タイミングアドバンス値にタイミングオフセットを設定し、その結果、前記少なくとも１つのユーザ装置１７０１からのタイムアラインされたアップリンク送信が、第１のアップリンクタイムスロットとタイムアラインされたかたちで無線ネットワークノード１６００、１７０２に到着する。
【００５２】
Ｄ２  ステップＤ２で、タイミングオフセットが閾値より大きいかまたは閾値に等しい場合、無線ネットワークノード１６００、１７０２は、タイミングアドバンス値に、タイムスロット時間を１以上減じたタイミングオフセットを設定し、その結果、前記少なくとも１つのユーザ装置１７０１からのタイムアラインされたアップリンク送信が、第１のアップリンクタイムスロットより後の第２のアップリンクタイムスロットとタイムアラインされたかたちで無線ネットワークノード１６００、１７０２に到着する。任意で、第２のタイムスロットは、第１のタイムスロットに隣接して直後に続くかまたは、第１のタイムスロットより１タイムスロット時間以上後に続く。
【００５３】
Ｅ  ステップＥで、無線ネットワークノード１６００、１７０２は、前記少なくとも１つのユーザ装置１７０１に対してタイミングアドバンス値を送信する（２４０）。
【００５４】
それゆえ、方法の実施形態では、本書で提示されるように、少なくとも１つのユーザ装置についてのタイミングアドバンス値を設定するための方法を提供する。
【００５５】
無線ネットワークノード１６００、１７０２における方法の一部の実施形態では、ステップＡで受信されるタイミングアップリンク送信は、タイムスロット構造と時間的に整合していない。さらに、無線ネットワークノード１６００、１７０２における方法の一部の実施形態では、ステップＡで受信されるタイミングアップリンク送信は、ランダムアクセスプリアンブルである。ランダムアクセスプリアンブルは、例えば、当技術分野で周知のようにＬＴＥ標準によって定義されてもよい。
【００５６】
無線ネットワークノード１６００、１７０２における方法の一部の実施形態では、ステップＡで受信されるタイミングアップリンク送信は、タイムスロット構造と時間的に整合されている。さらに、無線ネットワークノード１６００、１７０２における方法の一部の実施形態では、ステップＡで受信されるタイミングアップリンク送信は、ＰＵＳＣＨ送信、すなわち、ＰＵＳＣＨチャネル上での送信である。
【００５７】
無線ネットワークノード１６００、１７０２における方法の一部の実施形態では、ステップＥのタイミングアドバンス値は、ランダムアクセス応答の中で送信される。ランダムアクセス応答は、例えば、当技術分野で周知のようにＬＴＥ標準によって定義されてもよい。
【００５８】
無線ネットワークノード１６００、１７０２における方法の一部の実施形態では、前記少なくとも１つのユーザ装置１７０１は、第１のユーザ装置ＵＥ１と第２のユーザ装置ＵＥ２とを備えている。タイミングアドバンス値は、第１のユーザ装置ＵＥ１については、ステップＤ１に従って設定されている。第２のタイミングアドバンス値は、第２のユーザ装置ＵＥ２については、ステップＤ２に従って設定されている。複数の連続するサブフレームが、タイムスロット構造に関連付けられており、各サブフレームは、タイムスロット構造のうちの２つの後続のタイムスロットを含んでいる。詳細には、タイムアラインされたアップリンク送信は、第１のユーザ装置ＵＥ１からのタイムアラインされたアップリンク送信であり、タイムアラインされたアップリンク送信は、第２のユーザ装置ＵＥ２からのタイムアラインされたアップリンク送信である。以下のステップが行われてもよい。
【００５９】
２８０  無線ネットワークノード１６００、１７０２が、前記複数の連続するサブフレームの第１および第２のダウンリンクサブフレームの中で、第１のアップリンクグラントメッセージを第２のユーザ装置ＵＥ２へ、第２のアップリンクグラントメッセージを第１のユーザ装置ＵＥ１へ送信し、ここで、第２のダウンリンクサブフレームは、第１のダウンリンクサブフレームより後である。アップリンクグラントメッセージは、目前にあるユーザ装置がどのリソースを使用しうるかを示す。リソースは、一組のシンボルによって識別されてもよく、ここで各シンボルは、バースト期間と巡回プレフィックスを含めて、ＯＦＤＭシンボル間隔の間に周波数キャリアを含んでいてもよい。任意で、第２のアップリンクグラントメッセージは、第２のダウンリンクサブフレームの中で送信されてもよい。
【００６０】
２９０  無線ネットワークノード１６００、１７０２が、第１のアップリンクサブフレームの中で、第１のユーザ装置ＵＥ１からのタイムアラインされたアップリンク送信信号と、第２のユーザ装置ＵＥ２からのタイムアラインされたアップリンク送信信号とを受信する。
【００６１】
無線ネットワークノード１６００、１７０２における方法の一部の実施形態では、ステップ２８０は、無線ネットワークノード１６００、１７０２が前記複数の連続するサブフレームのうちの第１のダウンリンクサブフレームの中で第１のアップリンクグラントメッセージを第２のユーザ装置ＵＥ２へと送信し、（任意で、同じかまたは第２のダウンリンクサブフレームの中で）第２のアップリンクグラントメッセージを第１のユーザ装置ＵＥ１へと送信するステップと置換されてもよい。
【００６２】
上記の解決策を使えば、例えば、大きいタイミングオフセットを備えたゾーンに属する、すなわち、タイミングアドバンス値がステップＤ２に従って設定される、第２のユーザ装置ＵＥ２のようなユーザからの送信は、次のサブフレームへと続くであろう。図１２から分かるように、第２のユーザ装置ＵＥ２からの送信は、第１のユーザ装置ＵＥ１からの送信が到着していてもよいサブフレームの中央に到着する可能性がある。それゆえ、送信は、時間領域で衝突する可能性がある。より小さなタイミングオフセットを持つゾーンに属するユーザ、例えば第１のユーザ装置ＵＥ１が、同じ物理リソースブロック上の次のサブフレームの中でスケジューリングされる場合、サブフレーム間の直交性は失われ、ユーザは相互に干渉を引き起こすであろう。これを図１３に示しており、ここでユーザ１は、ユーザ２より小さいタイミングオフセットを持つゾーンに属している。図１３で分かるように、ユーザ１およびユーザ２からの送信は、今では時間領域でも周波数領域でも衝突している。
【００６３】
そのような衝突を防ぐため、無線ネットワークノードは、ユーザ間の直交性が維持されることを保証する必要がある。ユーザ間の直交性が維持されうるのは、無線ネットワークノードが、小さなタイミングオフセットを持つゾーンに属するＵＥを、大きなタイミングオフセットを持つゾーンに属するＵＥが以前のサブフレームの中で送信したのと同じＵＬ物理リソースブロック上でＵＬ送信を生成するようにスケジューリングしない場合である。それゆえ、無線ネットワークノードは、スケジューリングの際に各ＵＥのＴＡ値を考慮に入れる必要がある。加えて、無線ネットワークノードは、スケジューリングされることになるサブフレームに先行するサブフレームのスケジューリング決定を考慮に入れる必要がある。
【００６４】
これは、
−動的に行われ、この場合、（ＵＬ−ＳＣＨのための）ＵＬスケジューラおよびＤＬスケジューラまたは（ＰＵＣＣＨ上のＡＣＫ／ＮＡＣＫのための）ＰＤＣＣＨマネージャが、以前のサブフレームのスケジューリング決定を考慮に入れ、すなわち、大きなタイミングオフセットを持つＵＥからのＵＬ送信が以前のサブフレームではどこでスケジューリングされたかを記憶していてもよいし、あるいは、
−半静的に行われ、この場合、異なる物理リソースブロックが異なるタイミングオフセットゾーンに属するＵＥのために用いられるようにＵＬリソースが区分されてもよい。
【００６５】
次に、複数のユーザ装置からの送信の衝突について、前記複数のユーザ装置の一部がステップＤ１によるタイミングアドバンス値に割り当てられ、前記複数のユーザ装置の一部がステップＤ２によるタイミングアドバンス値を割り当てられている場合について、詳細に論じよう。当技術分野では周知のとおり、無線ネットワークノードは、２つのタイムスロットを含む各送信タイミング間隔（ＴＴＩ）について、スケジューリングの決定を行う。それゆえ、スケジューラが第１のＴＴＩにおいて、例えば、第２のユーザ装置ＵＥ２が周波数キャリアの第１の部分を用いるようにスケジューリングし、かつ、スケジューラが、第１のＴＴＩに直接隣接する第２のＴＴＩにおいて第１のユーザ装置ＵＥ１が周波数キャリアの前記第１の部分を用いるようにスケジューリングする場合、ユーザ間の直交性は失われることがある（または、ユーザ間のコリジョンが発生しうる）。コリジョンが発生するのは、第２のユーザ装置ＵＥ２が、ステップＤ２に従って設定されるタイミングアドバンス値を有するために、第２のユーザ装置ＵＥ２からの送信が、スケジューラによって想定されるより後に無線ネットワークノードに到着するからである。
【００６６】
動的なスケジューリングを図１４に示し、周波数キャリアの半静的な区分を図１５に示しており、この場合、ユーザ１は、ユーザ２より小さいタイミングオフセットを持つゾーンに属している。
【００６７】
無線ネットワークノード１６００、１７０２における方法の一部の実施形態では、以下のステップが行われてもよい（図１４と比較すること）。
【００６８】
２５０  無線ネットワークノード１６００、１７０２は、第１のアップリンクサブフレームの中で、１）第１のユーザ装置ＵＥ１を周波数キャリアの第１の部分に、２）第２のユーザ装置ＵＥ２を周波数キャリアの第２の部分にスケジューリングする。周波数キャリアの第１の部分と第２の部分とはオーバラップしていない。好ましいのは、無線ネットワークノード１６００、１７０２が、どのリソースを、例えばサブキャリアまたはリソースブロックの部分を、スケジューリングされているアップリンクサブフレームの中で目前にあるユーザ装置に割り当てるべきかを見つけ出すことであろう。従って、好ましいのは、目前にあるユーザ装置にアップリンクグラントメッセージを送信する前に、目前にあるユーザ装置、例えば第１または第２のユーザ装置が利用可能なリソースを判定することであろう。
【００６９】
無線ネットワークノード１６００、１７０２における方法の一部の実施形態では、以下のステップが行われてもよい（図１５と比較すること）。
【００７０】
２７０  無線ネットワークノード１６００、１７０２が、前記複数の連続するサブフレームの中で、第１のユーザ装置ＵＥ１を周波数キャリアの第１の部分に、第２のユーザ装置ＵＥ２を周波数キャリアの第２の部分にスケジューリングする。
【００７１】
無線ネットワークノード１６００、１７０２における方法の一部の実施形態では、周波数キャリアの第１および第２の部分は、周波数キャリアの連続するサブキャリアの第１および第２の集合にそれぞれ関連付けられており、ここで、サブキャリアの第１および第２の集合は、動的に定められるかまたはあらかじめ定められる。それゆえ、ユーザ間の直交性は、静的または半静的なかたちで得られうる。
【００７２】
以下に、ＰＵＣＣＨ上の直交性がどのようにして維持されうるかについて説明する。
【００７３】
ＰＵＣＣＨ上のアップリンク送信については、サブフレームの中のスロット間に周波数ホッピングが用いられる。ユーザが、周波数帯の一方においては第１のスロットに割り振られ、他方では第２のスロットに割り振られるように、ミラーリングスキームが用いられる。物理リソースブロックに対するマッピングを図１６に示しており、ここで変数ｍは、ユーザに割り振られてもよい物理リソースブロックのペアを表す。
【００７４】
同じ物理リソースブロックの中で、すなわち同じｍの値を用いて、複数のユーザを送信できるように、ＰＵＣＣＨ上では符号多重化を用いる。しかし、多重化に用いられる符号は、１０ｍｓの時間を有しているため、異なるタイミングオフセットゾーンに属している多重化ユーザを同じ物理リソースブロックの中で符号化することは望ましくない。それゆえ、同じ物理リソースブロック上でＰＵＣＣＨを送信する異なる端末間で直交性を実現するために、無線ネットワークノードの中で受信された各物理リソースブロックは、同じタイミングオフセットゾーンからのユーザを含むことになっている。
【００７５】
従って、方法の一部の実施形態では、タイムアラインされたアップリンク送信がＰＵＣＣＨ上で送信される場合、スケジューリングのステップ（２７０）は、さらに、周波数キャリアの第１の部分にはステップＤ１によるタイミングアドバンス値を割り当てられたユーザ装置だけをスケジューリングし、そして、周波数キャリアの第２の部分にはステップＤ２によるタイミングアドバンス値を割り当てられたユーザ装置だけをスケジューリングすることを含んでいる。
【００７６】
例えば、或るユーザがｍ＝０に割り振られ、かつ、１スロット遅延されたゾーンに属している場合、ユーザは、無線ネットワークノードの中で受信された現行のおよび次のサブフレームにおいてｍ＝１に対応する物理リソースブロックを占めるであろう。直交性を維持するために、これらの２つのサブフレームの中では、ゼロ遅延を持つゾーンに属するユーザは、ｍ＝１に割り振られない可能性がある。
【００７７】
無線ネットワークノード１６００、１７０２における方法の一部の実施形態では、第１のユーザ装置ＵＥ１および／または第２のユーザ装置ＵＥ２からのタイムアラインされたアップリンク送信は、ＨＡＲＱフィードバックに関するかまたはＳＲ、ＣＱＩ、ＰＭＩ、ＲＩのうちの１つ以上に関する情報を含んでいる。
【００７８】
無線ネットワークノード１６００、１７０２における方法の一部の実施形態では、第１のユーザ装置ＵＥ１および／または第２のユーザ装置ＵＥ２からのタイムアラインされたアップリンク送信に、１つのＦＦＴが適用される。それゆえ、前記少なくとも１つのＵＥについてタイミングアドバンス値を設定するためにステップＤ１とＤ２のどちらが行われたかに関わらず、同じＦＦＴがすべての送信に適用される。「１つのＦＦＴが適用される」という表現は、タイムスロットと時間的に同期された複数の信号が、無線ネットワークノード１６００、１７０２等の同じＦＦＴ処理モジュールに送り込まれることを意味すると理解される。
【００７９】
当技術分野では周知のとおり、タイミングアドバンス値を用いて端末の測位、いわゆるエンハンストセルＩＤ測位が行われてもよい。タイミングアドバンス測位の原理を図１７に示す。簡単に言うと、無線ネットワークノードから端末までの電波の移動時間が測定される。次いで、無線ネットワークノードから端末までの距離ｒが、次式のように演算されうる。
【００８０】
【数１】
0005542211.tif 000002
【００８１】
ここで、ＴＡはタイミングアドバンス値であり、ｃは光の速度である。
【００８２】
ＴＡの測定だけだと、円が定義され、あるいは、不正確さを計算に入れるなら、無線ネットワークノードの周りの環状帯が定義される。この情報をセルの記述と組み合わせることによって、環状帯の左右の角度を判定することができる（図１７を参照）。
【００８３】
エンハンストセルＩＤ測位の範囲内で、ＬＴＥ  Ｒｅｌ−９は、２つの異なるタイプのＴＡ測定、すなわちタイプ１とタイプ２とを含んでいる。ＴＡ測定は、独立して用いることもできるし、ネットワークがＵＥの位置を算出する場合に他の測定と組み合わせることもできる。両方のタイプの測定に共通するのは、基地局が測定値を、ＵＥの位置を算出するノードに送信できるということである。
【００８４】
タイプ１の測定は、ＵＥと無線ネットワークノードとの両方がＲｘタイミングとＴｘタイミングとの間の差を測定し、これらの２つの測定値が、無線ネットワークノードの中で組み合わされることに基づいている。
【００８５】
タイプ２では、無線ネットワークノードがＲｘタイミングとＴｘタイミングの差を測定し、他方、ＵＥがＰＲＡＣＨを送信する。タイプ１およびタイプ２メッセージの両方について、ＵＥの位置が、基地局が測定値を送信する相手先であるネットワークノードにおいて算出される。
【００８６】
タイプ１およびタイプ２のＴＡ測定は、詳細には以下のように定義される。
【００８７】
タイミングアドバンス（ＴＡＤＶ）タイプ１は、時間差
ＴＡＤＶ＝（ｅＮＢ  Ｒｘ−Ｔｘ時間差）＋（ＵＥ  Ｒｘ−Ｔｘ時間差）
として定義され、
ここで、ｅＮＢ  Ｒｘ（受信）−Ｔｘ（送信）時間差は、ＵＥ  Ｒｘ−Ｔｘ時間差を報告する同じＵＥに対応する。
【００８８】
ｅＮＢ  Ｒｘ−Ｔｘ時間差は、ＴｅＮＢ‐Ｒｘ−ＴｅＮＢ‐Ｔｘとして定義される。
【００８９】
ここで、
・ＴｅＮＢ‐Ｒｘは、時間内に第１の検出されたパスによって定義される、アップリンク無線フレーム＃ｉのｅＮＢ受信タイミングである。
【００９０】
・ＴｅＮＢ‐Ｔｘは、ダウンリンク無線フレーム＃ｉのｅＮＢ送信タイミングである。
【００９１】
ＵＥのＲｘ‐Ｔｘ時間差は、ＴＵＥ‐Ｒｘ−ＴＵＥ‐Ｔｘとして定義される。
【００９２】
ここで、
・ＴＵＥ‐Ｒｘは、時間内に第１の検出されたパスによって定義される、ダウンリンク無線フレーム＃ｉのＵＥ受信タイミングである。
【００９３】
・ＴＵＥ‐Ｔｘは、アップリンク無線フレーム＃ｉのＵＥ送信タイミングである。
【００９４】
タイミングアドバンス（ＴＡＤＶ）タイプ２は、時間差
ＴＡＤＶ＝（ｅＮＢ  Ｒｘ−Ｔｘ時間差）
として定義され、
ここで、ｅＮＢ  Ｒｘ−Ｔｘ時間差は、個別のＵＥからのＰＲＡＣＨを含む受信されたアップリンク無線フレームに対応し、ＴｅＮＢ‐Ｒｘは、時間内に第１の検出されたパスによって定義される、アップリンク無線フレーム＃ｉのｅＮＢ受信タイミングであり、そして、ＴｅＮＢ‐Ｔｘは、ダウンリンク無線フレーム＃ｉのｅＮＢ送信タイミングである。
【００９５】
タイプ１測定については、ＵＥ  Ｒｘ‐Ｔｘ時間差は、ＵＥのタイムアドバンス値に対応し、ｅＮＢ  Ｒｘ−Ｔｘタイムアドバンス値は、ＵＥタイムアドバンス値の測定値のエラーに対応する。
【００９６】
本解決策が、セルのセル範囲を拡張させるために実装される場合、上記のタイプ１のＴＡ測定方法は、不正確な位置を生じるであろう。理由は、ＵＥと無線ネットワークノードとの間の電波の移動時間は、所与のＵＥについてのＴＡに対応しないからである。
【００９７】
それゆえ、無線ネットワークノード１６００、１７０２における方法の一部の実施形態では、以下のステップが行われてもよい。
【００９８】
前記少なくとも１つのユーザ装置のタイミングアドバンス値がステップＤ２に従って設定された場合、無線ネットワークノード１６００、１７０２は、前記少なくとも１つのＵＥの位置を判定する。詳細には、位置を判定するステップは、以下のステップを含んでいてもよい。
【００９９】
無線ネットワークノード１６００、１７０２が、前記少なくとも１つのユーザ装置１７０１から、Ｒｘ‐Ｔｘ時間差を受信する。
【０１００】
無線ネットワークノード１６００、１７０２は、受信されたＲｘ‐Ｔｘ時間差を１つ以上のタイムスロット時間を使って少なくとも調整することによって、調整済Ｒｘ‐Ｔｘ時間差を生成する。無線ネットワークノード１６００、１７０２は、調整済Ｒｘ‐Ｔｘ時間差に基づいて、前記少なくとも１つのＵＥの位置を示す、距離タイミングを判定する。
【０１０１】
別の例示的な実施形態では、無線ネットワークノードは、タイプ１測定を算出する場合、ゾーンＢタイミングオフセットを含めることによって、正確な位置を算出することができる。この一例を、ＵＥがタイミングオフセットゾーンＢに属する事例について、以下に示す。
【０１０２】
ＴＡＤＶ＝（ｅＮＢ  Ｒｘ−Ｔｘ時間差）＋（ＵＥ  Ｒｘ−Ｔｘ時間差）＋ゾーンＢタイミングオフセット
別の実施形態では、タイプ１測定が測位のためにネットワークノードに報告される場合、ゾーンＢタイミングオフセットがＴＡＤＶに含まれる。
【０１０３】
図１８に関して、本発明の例示的な方法の実施形態を論じることができる。
【０１０４】
１５０１  ネットワーク内のノード、例えばｅＮＢが、ランダムアクセスにおける絶対的タイミングオフセットを測定する。
【０１０５】
１５０２  適切なタイミングオフセットゾーンが選択される。
【０１０６】
１５０３  ランダムアクセス応答の中でＴＡコマンドをＵＥに送信する前に、ゾーンのタイミングオフセットであるＴzoneが減算される。
【０１０７】
１５０４  できれば、ＵＥをスケジューリングする場合、前のサブフレームからの送信とのコリジョンを回避するため、Ｔzone値を考慮に入れることが望ましい。このステップは任意であってもよい。
【０１０８】
１５０５  通常のＵＬタイミングと比較したＴzoneオフセットを仮定して、ＵＥからのすべてのＵＬ送信が受信される。
【０１０９】
図１９に、少なくとも１つのユーザ装置１７０１からのアップリンク送信をタイムスロット構造とタイムアラインされたかたちで無線ネットワークノード１６００、１７０２に到着するように制御するための、無線ネットワークノード１６００、１７０２における例示的な装置２０００（図２０の１６１０）を示す。タイムスロット構造は、タイムスロットのシーケンスであり、各タイムスロットは、或るタイムスロット時間を有している。装置２０００、１６１０は、前記少なくとも１つのユーザ装置１７０１からタイミングアップリンク送信を受信するように構成された受信ユニット２０１０と、タイミングアップリンク送信に基づいてタイミングオフセットを判定するように構成された判定ユニットとを備えていてもよい。タイミングオフセットは、無線ネットワークノード１６００、１７０２と、前記少なくとも１つのユーザ装置１７０１との間の時間距離を示す。さらに、装置２０００、１６１０は、前記少なくとも１つのユーザ装置１７０１に対して送信されることになるタイミングアドバンス値を判定するため、閾値とタイミングオフセットとを比較するように構成された比較ユニット２０３０を備えていてもよい。比較ユニット２０３０は、さらに、タイミングオフセットが閾値より小さい場合、タイミングアドバンス値をタイミングオフセットに設定するように構成されていてもよく、その結果、前記少なくとも１つのユーザ装置１７０１からのタイムアラインされたアップリンク送信は、第１のアップリンクタイムスロットとタイムアラインされたかたちで無線ネットワークノード１６００、１７０２に到着するか、または、タイミングオフセットが閾値より大きいかまたは閾値に等しい場合、タイミングアドバイス値を、タイムスロット時間を１以上減じたタイミングオフセットに設定し、その結果、前記少なくとも１つのユーザ装置１７０１からのタイムアラインされたアップリンク送信が、第１のアップリンクタイムスロットより後の第２のアップリンクタイムスロットとタイムアラインされたかたちで無線ネットワークノード１６００、１７０２に到着する。装置２０００、１６１０はさらに、前記少なくとも１つのユーザ装置１７０１に対してタイミングアドバンス値を送信するように構成された送信ユニット２０４０を備えていてもよい。
【０１１０】
無線ネットワークノード１６００、１７０２における装置２０００、１６１０の一部の実施形態では、ステップＡで受信されるタイミングアップリンク送信は、タイムスロット構造と整合されていない。さらに、装置２０００、１６１０の一部の実施形態では、ステップＡで受信されるタイミングアップリンク送信は、ランダムアクセスプリアンブルである。ランダムアクセスプリアンブルは、例えば、当技術分野では周知であるとおり、ＬＴＥ標準によって定義されてもよい。
【０１１１】
無線ネットワークノード１６００、１７０２における装置２０００、１６１０の一部の実施形態では、ステップＡで受信されるタイミングアップリンク送信は、タイムスロット構造と時間的に整合されている。さらに、無線ネットワークノード１６００、１７０２における装置２０００、１６１０の一部の実施形態では、ステップＡで受信されるタイミングアップリンク送信は、ＰＵＳＣＨ送信である。
【０１１２】
無線ネットワークノード１６００、１７０２における装置２０００、１６１０の一部の実施形態では、ステップＥのタイミングアドバンス値が、ランダムアクセス応答の中で送信される。ランダムアクセス応答は、例えば、当技術分野では周知であるとおり、ＬＴＥ標準によって定義されてもよい。
【０１１３】
無線ネットワークノード１６００、１７０２における装置２０００、１６１０の一部の実施形態では、前記少なくとも１つのユーザ装置１７０１は、第１のユーザ装置ＵＥ１と第２のユーザ装置ＵＥ２とを含んでいる。タイミングアドバンス値は、第１のユーザ装置ＵＥ１についてはステップＤ１に従って設定されている。第２のタイミングアドバンス値は、第２のユーザ装置ＵＥ２についてはステップＤ２に従って設定されている。複数の連続するサブフレームが、タイムスロット構造と関連付けられており、各サブフレームは、タイムスロット構造のうちの２つの後続のタイムスロットを含んでいる。詳細には、タイムアラインされたアップリンク送信は、第１のユーザ装置ＵＥ１からのタイムアラインされたアップリンク送信であり、タイムアラインされたアップリンク送信は、第２のユーザ装置ＵＥ２からのタイムアラインされたアップリンク送信である。送信ユニット２０４０は、さらに、前記複数の連続するサブフレームの第１および第２のダウンリンクサブフレームの中で、第１のアップリンクグラントメッセージを第２のユーザ装置ＵＥ２へ、第２のアップリンクグラントメッセージを第１のユーザ装置ＵＥ１へ送信するように構成されてもよく、ここで、第２のダウンリンクサブフレームは、第１のダウンリンクサブフレームより後である。アップリンクグラントメッセージは、目前にあるユーザ装置がどのリソースを使用しうるかを示す。リソースは、一組のシンボルによって識別されてもよく、ここで各シンボルは、バースト期間内に周波数キャリアを含んでいてもよい。シンボルは、当技術分野では周知のとおり、巡回プレフィックスによって分離されてもよい。任意で、第２のアップリンクグラントメッセージは、第２のダウンリンクサブフレームの中で送信されてもよい。受信ユニット２０１０は、さらに、第１のアップリンクサブフレームの中で、第１のユーザ装置ＵＥ１からのタイムアラインされたアップリンク送信と、第２のユーザ装置ＵＥ２からのタイムアラインされたアップリンク送信とを受信するように構成されてもよい。
【０１１４】
無線ネットワークノード１６００、１７０２における装置２０００、１６１０の一部の実施形態では、装置１６１０はさらに、第１のアップリンクサブフレームの中で、１）第１のユーザ装置ＵＥ１を周波数キャリアの第１の部分に、２）第２のユーザ装置ＵＥ２を周波数キャリアの第２の部分にスケジューリングするように構成されてもよい。周波数キャリアの第１の部分と第２の部分とはオーバラップしていない。
【０１１５】
無線ネットワークノード１６００、１７０２における装置２０００、１６１０の一部の実施形態では、装置２０００、１６１０は、さらに、前記複数の連続するサブフレームの中で第１のユーザ装置ＵＥ１を周波数キャリアの第１の部分に、第２のユーザ装置ＵＥ２を周波数キャリアの第２の部分にスケジューリングするように構成されてもよい。
【０１１６】
無線ネットワークノード１６００、１７０２における装置２０００、１６１０の一部の実施形態では、周波数キャリアの第１および第２の部分は、周波数キャリアの連続するサブキャリアの第１および第２の集合にそれぞれ関連付けられており、ここで、サブキャリアの第１および第２の集合は、動的に定められるかまたはあらかじめ定められる。それゆえ、ユーザ間の直交性は、静的または半静的なかたちで得られうる。
【０１１７】
無線ネットワークノード１６００、１７０２における装置２０００、１６１０の一部の実施形態では、装置はさらに、ＰＵＣＣＨ上でタイムアラインされたアップリンク送信を送信するように構成されてもよく、さらに、周波数キャリアの第１の部分にはステップＤ１によるタイミングアドバンス値を割り当てられたユーザ装置だけをスケジューリングし、そして、周波数キャリアの第２の部分にはステップＤ２によるタイミングアドバンス値を割り当てられたユーザ装置だけをスケジューリングするように構成されてもよい。
【０１１８】
無線ネットワークノード１６００、１７０２における装置２０００、１６１０の一部の実施形態では、第１のユーザ装置ＵＥ１および／または第２のユーザ装置ＵＥ２からのタイムアラインされたアップリンク送信は、ＨＡＲＱフィードバックに関するかまたはＳＲ、ＣＱＩ、ＰＭＩ、ＲＩのうちの１つ以上に関する情報を含んでいる。
【０１１９】
無線ネットワークノード１６００、１７０２における装置２０００、１６１０の一部の実施形態では、第１のユーザ装置ＵＥ１および／または第２のユーザ装置ＵＥ２からのタイムアラインされたアップリンク送信に、１つのＦＦＴが適用される。それゆえ、前記少なくとも１つのＵＥについてタイミングアドバンス値を設定するためにステップＤ１とＤ２のどちらが行われたかに関わらず、同じＦＦＴがすべての送信に適用される。
【０１２０】
無線ネットワークノード１６００、１７０２における装置２０００、１６１０の一部の実施形態では、前記少なくとも１つのユーザ装置のタイミングアドバンス値がステップＤ２に従って設定された場合、装置２０００、１６１０は、さらに、前記少なくとも１つのＵＥの位置を判定するように構成されてもよい。詳細には、装置は、前記少なくとも１つのユーザ装置１７０１から、Ｒｘ‐Ｔｘ時間差を受信するように構成され、かつ、受信されたＲｘ‐Ｔｘ時間差を、タイムスロット時間を１つ以上使って少なくとも調整することによって、調整済Ｒｘ‐Ｔｘ時間差を生成するように構成されてもよい。さらに、装置は、調整済Ｒｘ‐Ｔｘ時間差に基づいて、前記少なくとも１つのＵＥの位置を示す、距離タイミングを判定するように構成されてもよい。
【０１２１】
以下に、ＰＵＣＣＨ上のＤＬ−ＳＣＨについてのＨＡＲＱフィードバックの処理について述べる。
【０１２２】
ＬＴＥは、ハイブリッドＡＲＱ（Ａｕｔｏｍａｔｉｃ  Ｒｅｔｒａｎｓｍｉｓｓｉｏｎ  ｒｅＱｕｅｓｔ）を用いるのだが、ここでは、サブフレームにおいてダウンリンクデータを受信した後、端末は、それを復号することを試行し、そして、復号が成功したか（ＡＣＫ）否か（ＮＡＫ）を基地局に報告する。復号の試行が失敗した場合、基地局は、誤ったデータを再送信することができる。
【０１２３】
端末から基地局へのアップリンク制御シグナリングは、以下を含んでいる。
【０１２４】
・受信したダウンリンクデータについてのハイブリッドＡＲＱ確認応答、
・ダウンリンクスケジューリングのための支援として用いられる、ダウンリンクチャネル条件に関する端末報告、
・移動端末がアップリンクデータ送信のためのアップリンクリソースを必要としていることを示すスケジューリング要求。
【０１２５】
ダウンリンクチャネル条件に関する端末報告は、チャネル品質インジケータ（ＣＱＩ）と、プリコーディングマトリックスインジケータ（ＰＭＩ）と、ランクインジケータ（ＲＩ）とを含んでいる。
【０１２６】
ＤＬ−ＳＣＨ上の各ダウンリンク送信について、ＵＥはＨＡＲＱフィードバックを使って応答するであろう。ＵＬ−ＳＣＨの同時送信がない場合、ＵＥは、ＰＵＣＣＨ上でＨＡＲＱフィードバックを送信するであろう。
【０１２７】
ＵＥは、ＰＤＣＣＨ上でＤＬ割当てを送信するため、ダウンリンクで用いられるリソースに基づいてＰＵＣＣＨリソースを導出するであろう。ＰＤＣＣＨリソースを割り振る場合、ＤＬスケジューラまたはＰＤＣＣＨマネージャは、ＰＵＣＣＨ上で直交性を維持することについて上述したように、ＰＵＣＣＨ上のすべてのユーザについて直交性が維持されることを保証すべきである。選択肢として、例えば、直交するＰＵＣＣＨリソースを見つけることができない場合、ユーザによっては、非直交であることが許されることがあり、それによってさらなる干渉が作り出される。
【０１２８】
無線ネットワークノードの中で遅延を伴って受信されるタイミングオフセットゾーンに属するユーザにとって、これらのため、無線ネットワークノードの中で処理に利用可能な時間が減少するであろう。無線ネットワークノードの処理は、アップリンクにおけるＨＡＲＱフィードバックを復号することと、ダウンリンクにおける新たなＤＬ−ＳＣＨ送信をスケジューリングすることとから成る。
【０１２９】
無線ネットワークノードにおける遅延された受信を処理する方法は、以下のように何通りかある。
【０１３０】
−無線ネットワークノードの中にハードウェアリソースを追加することによって、または、例えば全体的なスループットを制限することにより、全体的な容量を削減することによって。これによって、無線ネットワークノードにおける全体的な処理時間が削減されるであろう。
【０１３１】
−遅延されたユーザについてＨＡＲＱフィードバックを行う前に、次のスケジューリング期間まで待機することによって。ＨＡＲＱはＤＬにおいては非同期であるため、これは可能である。しかし、そのため、全体的なＨＡＲＱループ遅延は増加するであろうし、それによって、同じＵＥへの連続送信を行うことが不可能になる。その理由は、ＨＡＲＱプロセスの数は限られていて、ＨＡＲＱループ遅延に従って正確にサイズが算出されているからである。
【０１３２】
以下に、ＰＵＳＣＨ上のＵＬ−ＳＣＨの処理について説明する。
【０１３３】
アップリンクでのＰＵＳＣＨ上のＵＬ−ＳＣＨ送信について、リソースは、ＵＬスケジューラによって動的に割り振られる。ＵＬスケジューラは、直交性が維持されることを保証しなければならないのだが、それは、ユーザ間の直交性を維持することについての議論の中で上述したように、静的または動的に行うことができる。
【０１３４】
ＵＬリソースの半静的区分の場合については、スケジューリングされることになる各タイミングオフセットゾーンの中に十分な数のユーザが存在しない場合、容量損失のリスクがある。容量を改善するため、ＵＬリソースの区分を、各タイミングオフセットゾーンにおけるユーザのトラヒック負荷に基づいて調整することができる。
【０１３５】
ＤＬ−ＳＣＨと同様に、無線ネットワークノードの中で遅延を伴って受信されるユーザについて、無線ネットワークノードの中で処理に利用可能な時間は減少するであろう。ＨＡＲＱは、アップリンクでは同期しているため、無線ネットワークノードにおける遅延された受信の処理は、ダウンリンクとは異なる。
【０１３６】
−無線ネットワークノードの中にハードウェアリソースを追加することによって、または、例えば全体的なスループットを制限することにより、全体的な容量を削減することによって。これによって、無線ネットワークノードにおける全体的な処理時間が削減されるであろう。
【０１３７】
−処理時間が足りない場合、非適応再送信を無効にするためにＵＥに対してＡＣＫを報告することによって。これによって、ＵＥは、このＨＡＲＱプロセスについては次の機会に送信することはないであろうし、物理リソースは、スケジューリングされることになる他のＵＥに利用可能になる。復号が失敗した場合、ＵＥは、このＨＡＲＱプロセスについて次の機会に適応再送信によって再スケジューリングされなければならない。結果は、ＵＥは、平均して半数のサブフレームでスケジューリングができるに留まる。
【０１３８】
−たとえ復号の後で結果がまだ入手可能でない場合であっても、非適応再送信を要求するためＵＥにＮＡＣＫを報告することによって、または、適応再送信をスケジューリングすることによって。これは常に、復号の成功の後の１つの不要な再送信につながり、それがスループットおよび／または容量を削減するであろう。しかし、ＨＡＲＱ操作ポイントが変更されて送信の平均回数が増えた場合、損失は削減されうる。
【０１３９】
以下で、スケジューリング要求およびＰＵＣＣＨ上のＣＱＩ／ＰＭＩ／ＲＩの処理について説明する。
【０１４０】
スケジューリング要求（ＳＲ）およびＣＱＩ／ＰＭＩ／ＲＩの周期的チャネルフィードバック報告が、アップリンクのＰＵＣＣＨ上で送信される。ＳＲおよびＣＱＩ／ＰＭＩ／ＲＩについてのリソースが、半静的に割り振られる。ＰＵＣＣＨリソースを割り振る場合、無線ネットワークノードは、ＰＵＣＣＨ上で直交性を維持することについての議論で上述したように、ＰＵＣＣＨ上のユーザについて直交性が維持されることを保証しなければならない。
【０１４１】
図２０は、タイミングの整合を制御するノード、例えばｅＮＢ、１６００を示す。ノードは、例えば、揮発性および／または不揮発性である少なくとも１つのコンピュータ可読記憶媒体またはメモリ１６０２の中に記憶された、ハードウェアおよび／またはソフトウェア命令の集合を実行する、少なくとも１つの処理ユニット１６０１を備えている。処理ユニットは、メモリユニットに接続されている。少なくとも１つの処理ユニットは、少なくとも１つの通信インタフェース１６０３および１６０４を用いて、ＵＥおよび／または無線アクセスネットワークおよびコアネットワークとアップリンクおよびダウンリンクで通信する。また、ＵＥは、プロセスにも参加し、例えば、ＵＥと無線ネットワークノードとの間の距離の測定に参加する。また、ＵＥは、少なくとも１つの処理ユニットと、少なくとも１つの揮発性および／または不揮発性メモリユニットを備えている。さらに、ＵＥは、無線ネットワークノードと通信するための少なくとも１つの通信インタフェースも備えている。
【０１４２】
処理ユニットには、例えば、マイクロプロセッサ、中央演算処理装置（ＣＰＵ）、デジタルシグナルプロセッサ（ＤＳＰ）、特定用途向け集積回路（ＡＳＩＣ）、フィールド・プログラマブル・ゲート・アレイ、またはプログラム命令を実行することができる同様のユニットが含まれていてもよい。
【０１４３】
理解されるべきだが、ネットワークは、当業者によって理解されるように、例えばイーサネットまたはＷＡＮ（Ｗｉｄｅ  Ａｒｅａ  Ｎｅｔｗｏｒｋ）ネットワークを構築するのに用いられるような、ケーブル配線、ルータ、スイッチ、その他のネットワーク構築要素で構成されている。
【０１４４】
本発明は、ＬＴＥネットワークにおける使用について例示してきた。しかし、理解されるべきだが、将来の標準化において定義されうるように、他のネットワーク構成においても本発明の適用性が見つかり得る。
【０１４５】
留意されるべきだが、「ｃｏｍｐｒｉｓｉｎｇ（含む、備える）」という言葉は、列挙されたもの以外の要素またはステップの存在を除外せず、また、或る要素に先行する「ａ」、「ａｎ」という言葉は、複数のそのような要素の存在を除外しない。さらに留意されるべきだが、何らかの引用符号は請求項の範囲を制限せず、本発明は少なくとも部分的には、ハードウェアとソフトウェアとの両方によって実装することが可能であり、複数の「手段」または「ユニット」は、同じハードウェア商品によって表されうる。
【０１４６】
上記の実施形態は、例として与えられただけであって、本発明を限定するべきでない。本発明の範囲内にあるその他の解決策、用途、目的および機能は、当業者には明らかであろう。
【０１４７】
実施形態の項目別リスト
１．ワイヤレス通信ネットワークにおいて、ユーザ装置、すなわちＵＥと無線アクセスネットワークノードとの間のアップリンク通信の送信のタイミングアライメントを処理するための一実施形態であって、
−ＵＥと無線アクセスネットワークノードとの間のタイミング距離を判定するステップと、
−より後のタイムスロットに、かつ、制御されたかたちで到着するようにアップリンクメッセージを送信するために、事前に設定されたタイミングアドバンス値に関して事前に定義された距離より近いかまたは遠い距離を用いてＵＥを構成するステップと
を含む実施形態。
【０１４８】
２．実施形態１による実施形態であって、さらに、
−ＵＥと無線アクセスネットワークノードとの間のタイミングオフセットを判定するステップと、
−タイミングオフセットゾーンを選択するステップと、
−ランダムアクセス応答の中でタイミングアドバンスコマンドをＵＥに対して送信する前に、ゾーンのタイミングオフセットであるＴzoneを減算するステップと、
−ＵＥからのアップリンク送信を受信するステップと
を含む実施形態。
【０１４９】
３．実施形態２による実施形態であって、さらに、ＵＥをスケジューリングする場合にＴzone値を考慮に入れるステップを含む実施形態。
【０１５０】
４．実施形態１による実施形態であって、無線アクセスネットワークがロングタームエボリュション、すなわちＬＴＥネットワークであることを特徴とする実施形態。
【０１５１】
５．実施形態１による実施形態であって、より後のタイムスロットが０．５ｍｓの倍数であることを特徴とする実施形態。
【０１５２】
６．実施形態１による実施形態であって、すべての送信が定義済タイムゾーンに分割されることを特徴とする実施形態。
【０１５３】
７．実施形態６による実施形態であって、タイムゾーンがタイムスロットの倍数として構成されることを特徴とする実施形態。
【０１５４】
８．実施形態１による実施形態であって、アップリンクリソースが動的または半静的に区分またはスケジューリングされることを特徴とする実施形態。
【０１５５】
９．実施形態１による実施形態であって、さらに、アップリンク送信の直交性を維持するステップを含む実施形態。
【０１５６】
１０．ワイヤレス通信ネットワーク内のノードにおける実施形態であって、
−少なくとも１つの処理ユニットと、
−少なくとも１つのメモリユニットと、
−少なくとも１つの通信インタフェースと
を含み、
実施形態１乃至９のいずれかによる方法を行うために、処理ユニットが、通信インタフェースを用いて、メモリの中に記憶された命令の集合を実行するように構成される
ことを特徴とする実施形態。
【０１５７】
１１．実施形態１０による実施形態であって、ノードが無線アクセスネットワークノードであることを特徴とする実施形態。
【図１】
0005542211.tif 000003
【図２】
0005542211.tif 000004
【図３】
0005542211.tif 000005
【図４】
0005542211.tif 000006
【図５】
0005542211.tif 000007
【図６】
0005542211.tif 000008
【図７】
0005542211.tif 000009
【図９】
0005542211.tif 000010
【図１０】
0005542211.tif 000011
【図１１】
0005542211.tif 000012
【図１２】
0005542211.tif 000013
【図１３】
0005542211.tif 000014
【図１４】
0005542211.tif 000015
【図１７】
0005542211.tif 000016
【図１８】
0005542211.tif 000017
【図１９】
0005542211.tif 000018
【図８】
0005542211.tif 000019
【図１５】
0005542211.tif 000020
【図１６】
0005542211.tif 000021
【図２０】
0005542211.tif 000022